(57)【要約】【課題】外部環境が高照度下であっても、コントラストのよい画像をバックライトの消費電量を増大させることなく実現する。【解決手段】通常環境下において、赤、緑、青表示をする場合は、各々赤画素（Ｒ）、緑画素（Ｇ）、青画素（Ｂ）のみによって表示し、前記通常環境下よりも外光照度が高い高照度下においては、赤表示をする場合は、赤画素（Ｒ）以外の画素も同時に光らせることによって表示し、緑表示をする場合は、緑画素（Ｇ）以外の画素も同時に光らせることによって表示し、青表示をする場合は、青画素（Ｂ）以外の画素も同時に光らせることによって、画面輝度を向上させる。この場合、各色の色度は低下するが、高照度下における画質では、色度よりも輝度が支配的なので、画質の低下は生じない。【選択図】図２
2014048323.tif 000002
【特許請求の範囲】
【請求項１】
画素電極およびＴＦＴを有する画素がマトリクス状に形成されたＴＦＴ基板と、ＴＦＴ基板に対向して対向基板が配置され、ＴＦＴ基板と対向基板の間に液晶が挟持され、ＩＣドライバが搭載された液晶表示パネルを有する液晶表示装置の駆動方法であって、
前記画素は、赤画素（Ｒ）、緑画素（Ｇ）、青画素（Ｂ）を含み、
通常環境下においては、赤、緑、青表示をする場合は、各々赤画素（Ｒ）、緑画素（Ｇ）、青画素（Ｂ）のみによって表示し、
前記通常環境下よりも外光照度が高い高照度下においては、赤表示をする場合は、赤画素（Ｒ）以外の画素も同時に光らせることによって表示し、緑表示をする場合は、緑画素（Ｇ）以外の画素も同時に光らせることによって表示し、青表示をする場合は、青画素（Ｂ）以外の画素も同時に光らせることによって表示することを特徴とする液晶表示装置の駆動方法。
【請求項２】
赤を表示するときは、緑画素（Ｇ）を同時に光らせ、緑を表示するときは赤画素（Ｒ）と青画素（Ｂ）を同時に光らせ、青画素（Ｂ）を表示するときは、緑画素（Ｇ）を同時に光らせることを特徴とする請求項１に記載の液晶表示装置の駆動方法。
【請求項３】
前記液晶表示装置は外光の照度を感ずるセンサを搭載し、前記サンサによって計測された照度に基づいて、前記通常環境下での駆動方法と、前記高照度下における駆動方法とを切り換えることを特徴とする請求項２に記載の液晶表示装置の駆動方法。
【請求項４】
画素電極およびＴＦＴを有する画素がマトリクス状に形成されたＴＦＴ基板と、ＴＦＴ基板に対向して対向基板が配置され、ＴＦＴ基板と対向基板の間に液晶が挟持され、ＩＣドライバが搭載された液晶表示装置の駆動方法であって、
前記画素は、赤画素（Ｒ）、緑画素（Ｇ）、青画素（Ｂ）を含み、
通常環境下においては、赤、緑、青表示をする場合は、前記液晶表示パネルに入力される映像信号データを使用し、
前記通常環境下よりも外光照度が高い高照度下においては、前記液晶表示パネルに入力される映像信号を変換して、新たな輝度データと色度データを形成し、
前記高照度下においては、赤表示をする場合は、赤画素（Ｒ）以外の画素も同時に光らせることによって表示し、緑表示をする場合は、緑画素（Ｇ）以外の画素も同時に光らせることによって表示し、青表示をする場合は、青画素（Ｂ）以外の画素も同時に光らせることによって表示することを特徴とする液晶表示装置の駆動方法。
【請求項５】
前記液晶表示パネルに入力される映像信号を変換して、新たな輝度データと色度データを形成する手段は、前記ＩＣドライバに含まれていることを特徴とする請求項４に記載の液晶表示装置の駆動方法。
【請求項６】
赤を表示するときは、緑画素（Ｇ）を同時に光らせ、緑を表示するときは赤画素（Ｒ）と青画素（Ｂ）を同時に光らせ、青画素（Ｂ）を表示するときは、緑画素（Ｇ）を同時に光らせることを特徴とする請求項５に記載の液晶表示装置の駆動方法。
【請求項７】
前記液晶表示装置は外光の照度を感ずるセンサを搭載し、前記サンサによって計測された照度に基づいて、前記通常環境下での駆動方法と、前記高照度下における駆動方法とを切り換えることを特徴とする請求項６に記載の液晶表示装置の駆動方法。
【発明の詳細な説明】
【技術分野】
【０００１】
本発明は表示装置に係り、特に明るい環境下でも消費電力を上げることなく、コントラストを維持することが出来る液晶表示装置に関する。
【背景技術】
【０００２】
液晶表示装置では画素電極および薄膜トランジスタ（ＴＦＴ）等を有する画素がマトリクス状に形成されたＴＦＴ基板と、ＴＦＴ基板に対向して、ＴＦＴ基板の画素電極と対応する場所にカラーフィルタ等が形成された対向基板が配置され、ＴＦＴ基板と対向基板の間に液晶が挟持されている。そして液晶分子による光の透過率を画素毎に制御することによって画像を形成している。
【０００３】
液晶表示装置は薄く、軽量にできることから、携帯電話やＤＳＣ（Ｄｉｇｉｔａｌ Ｓｔｉｌｌ Ｃａｍｅｒａ）等に使用されている。携帯電話やＤＳＣは明るい屋外で使用されることも多い。携帯電話等を明るい屋外で使用する場合は、コントラストが問題となる。視認できるコントラストをつけるために、バックライトの明るさを上げれば消費電力が問題となる。
【０００４】
消費電力とコントラストの関係を対策する従来例としては、次のようなものがある。（１）ディスプレイの使用環境の外光照度をセンシングすることで消費電力を上げずに、明室コントラストの維持をするものである。すなわち、外光が明るい場合には、バックライトのパワーをあげるが、外光が暗い場合は、バックライトのパワーを落とすことによって、全体として消費電力を節約する方式である。（２）色情報が少ないメニュー画面等においては、バックライトコントロールと組み合わせ、バックライトのパワーを小さくする方式である。ただし、この場合も、入力された映像データはそのまま使用している。（３）赤画素（Ｒ）、緑画素（Ｇ）、青画素（Ｂ）に白画素（Ｗ）を加える。これによって、色純度を若干犠牲にしても、輝度を向上させる方式である。
【０００５】
以上のような方式の他に、「特許文献１」には、色純度の優れた第１のカラーフィルタと第１のカラーフィルタよりも透過率の高い第２のカラーフィルタを並べて配置し、第１のカラーフィルタと第２のカラーフィルタを別個に制御することによって、様々な外部環境に柔軟に対処する構成が記載されている。
【先行技術文献】
【特許文献】
【０００６】
【特許文献１】特開２００８−２８７０６８号公報
【発明の概要】
【発明が解決しようとする課題】
【０００７】
従来技術（１）は、外光をセンシングして外光に応じてバックライトの光量を調整するものであるが、映像信号は外部から供給されるものをそのまま使用している。したがって、照度の高い環境で使用することが多い場合は、バックライトの電力消費が多くなる。従来技術（２）は、設定画面等、色情報が少ない画面においては、バックライトの電力を下げることができるが、この場合も映像信号は外部から供給され、かつ、色情報が少ない画面の割合を積極的に増加するような方式ではないので、バックライトの消費電力の低減には限度がある。従来技術（３）では、画素を赤画素（Ｒ）、緑画素（Ｇ）、青画素（Ｂ）のサブ画素に加え、白画素（Ｗ）サブ画素を配置するものであり、単位画素の面積が大きくなり、高精細画面とする場合には、限度がある。「引用文献１」の構成も、１画素内に、色純度の優れた第１のカラーフィルタと第１のカラーフィルタよりも透過率の高い第２のカラーフィルタを並べて配置する構成なので、画素を小さくする高精細化には限度がある。
【０００８】
本発明の課題は、外光照度が高い戸外等においても、必要な画面のコントラストを保つことが出来、かつ、バックライトの消費電力の増大を抑えることが出来る液晶表示装置を実現することである。また、このような構成を赤画素（Ｒ）緑画素（Ｇ）、青画素（Ｂ）のサブ画素の組み合わせのみで実現し、単位画素の面積を大きくせず、高精細画面に対応できる構成によって実現することである。なお、以後の説明では、赤画素（Ｒ）等を赤画素（Ｒ）サブ画素といったり赤画素（Ｒ）画素といったりする場合がある。
【課題を解決するための手段】
【０００９】
本発明は上記問題を克服するものである。すなわち、戸外等の外光照度の高い環境化においては、画質に対しては、色純度は殆ど影響せず、画面の明るさあるいはコントラストが画質に対して支配的になる。本発明は、外光照度をセンシングし、外光照度が高い場合は、外部からの映像信号を変換し、所定の色に対して、他の色を故意に混入させることによって、画面の輝度を向上させ、外光照度が高い場合であっても画面のコントラストを維持する手段を用いる。したがって、バックライトの消費電力をおさえつつ、画面輝度を向上させることができる。具体的な手段は次のとおりである。
【００１０】
（１）画素電極およびＴＦＴを有する画素がマトリクス状に形成されたＴＦＴ基板と、ＴＦＴ基板に対向して対向基板が配置され、ＴＦＴ基板と対向基板の間に液晶が挟持され、ＩＣドライバが搭載された液晶表示パネルを有する液晶表示装置の駆動方法であって、前記画素は、赤画素（Ｒ）、緑画素（Ｇ）、青画素（Ｂ）を含み、通常環境下においては、赤、緑、青表示をする場合は、各々赤画素（Ｒ）、緑画素（Ｇ）、青画素（Ｂ）のみによって表示し、前記通常環境下よりも外光照度が高い高照度下においては、赤表示をする場合は、赤画素（Ｒ）以外の画素も同時に光らせることによって表示し、緑表示をする場合は、緑画素（Ｇ）以外の画素も同時に光らせることによって表示し、青表示をする場合は、青画素（Ｂ）以外の画素も同時に光らせることによって表示することを特徴とする液晶表示装置の駆動方法。
【００１１】
（２）画素電極およびＴＦＴを有する画素がマトリクス状に形成されたＴＦＴ基板と、ＴＦＴ基板に対向して対向基板が配置され、ＴＦＴ基板と対向基板の間に液晶が挟持され、ＩＣドライバが搭載された液晶表示装置の駆動方法であって、前記画素は、赤画素（Ｒ）、緑画素（Ｇ）、青画素（Ｂ）を含み、通常環境下においては、赤、緑、青表示をする場合は、前記液晶表示パネルに入力される映像信号データを使用し、前記通常環境下よりも外光照度が高い高照度下においては、前記液晶表示パネルに入力される映像信号を変換して、新たな輝度データと色度データを形成し、前記高照度下においては、赤表示をする場合は、赤画素（Ｒ）以外の画素も同時に光らせることによって表示し、緑表示をする場合は、緑画素（Ｇ）以外の画素も同時に光らせることによって表示し、青表示をする場合は、青画素（Ｂ）以外の画素も同時に光らせることによって表示することを特徴とする液晶表示装置の駆動方法。
【発明の効果】
【００１２】
本発明によれば、環境が高照度下においては、単色を表示する場合にも他の色を混入させることによって画面輝度を向上させる。これによって、外光照度が高い場合にも、バックライトの電力を抑えて画面を視認することが出来るので、消費電力を低減できる効果がある。また、画面の高輝度化を白画素（Ｗ）等のサブ画素を増やすことなく実現することができるので、画面の高精細化にも対応することが出来る。
【図面の簡単な説明】
【００１３】
【図１】本発明が適用される液晶表示装置の平面図である。
【図２】本発明の原理を説明する色度図である。
【図３】映像信号データの変換手順を示す図である。
【図４】実際の製品に本発明を適用した例を示す色度図である。
【図５】変換前と変換後の各色ごとの階調を示す表である。
【図６】従来例と本発明における赤の輝度を比較した図である。
【図７】従来例と本発明における緑の輝度を比較した図である。
【図８】従来例と本発明における青の輝度を比較した図である。
【図９】従来例に対する各色ごとの本発明の輝度向上の率を示す表である。
【発明を実施するための形態】
【００１４】
図１は、本発明が適用される製品の例である、携帯電話等に使用される小型の液晶表示装置の平面図である。図１において、ＴＦＴ基板１００の上に対向基板２００が配置されている。ＴＦＴ基板１００と対向基板２００の間に図示しない液晶層が挟持されている。ＴＦＴ基板１００と対向基板２００とは額縁部に形成されたシール材２０によって接着している。図１においては、液晶は滴下方式によって封入されるので、封入孔は形成されていない。
【００１５】
ＴＦＴ基板１００は対向基板２００よりも大きく形成されており、ＴＦＴ基板１００が対向基板２００よりも大きくなっている部分には、液晶表示パネルに電源、映像信号、走査信号等を供給するための端子部１５０が形成されている。端子部１５０には図示しないフレキシブル配線基板が接続される。
【００１６】
また、端子部１５０には、走査信号線３０、映像信号線４０等を駆動するためのＩＣドライバ５０が設置されている。ＩＣドライバ５０は３つの領域に分かれており、中央には映像信号駆動回路５２が設置され、両脇には走査信号駆動回路５１が設置されている。本発明においては、このＩＣドライバ内に、外部から供給される映像信号に対して、輝度情報と色度情報を変換し、新たな輝度情報と色度情報を作成する手段が搭載されている。
【００１７】
図１の表示領域１０において、横方向には走査信号線３０が延在し、縦方向に配列している。また、縦方向には映像信号線４０が延在し、横方向に配列している。走査信号線と映像信号線とで囲まれた領域が画素を構成する。走査線信号線は表示領域１０の両側から走査線引出し線３１によって、ＩＣドライバ５０の走査信号駆動回路５１と接続している。映像信号線４０とＩＣドライバ５０を接続する映像信号線引出し線４１は画面下側に集められ、ＩＣドライバ５０の中央部に配置されている映像信号駆動回路５２と接続する。
【００１８】
図２は本発明の原理を示す色度図である。図２において、実線で示す三角形の領域がｓＲＧＢ（standard RGB）において、色再現性を７０％とした例である。色再現性を７０％が携帯電話、ＤＳＣ等における色再現性の標準になっている。なお、色再現性７０％とは、ＮＴＳＣにおける色再現性に対して７０％という意味である。
【００１９】
本発明においては、通常の外光照度の場合は、色再現性７０％の領域を使用する。この場合は、外部からの映像信号のデータをそのまま使用する。一方、戸外等において、外光の照度が大きい場合は、外部からの映像信号をそのまま使用するのではなく、画面輝度が大きくなるように、映像信号を変換して使用する。
【００２０】
つまり、外部照度が大きい場合は、画質に対して色度はほとんど影響を与えず、コントラストが大きな影響を与える。そこで、本発明においては、外部からの映像信号に対して輝度データおよび色度データを変換し、輝度を大きくするようにして表示する。すなわち、色度の再現範囲を図２の点線で示す三角形の範囲に抑え、その代わりに、輝度を大きくする。図２の点線で示す三角形における色再現範囲はＮＴＳＣ比で５０％である。このような構成をとることによって、バックライトの消費電力が同一であっても、輝度を向上させることが出来る。
【００２１】
具体的には、例えば、赤単色表示の場合であっても、他の色、例えば、緑画素からの光も混入させる。また、緑単色表示の場合であても赤画素あるいは青画素からの光も混入させる。さらに、青単色表示の場合であっても、緑画素からの光を混入させる。したがって、色純度は低下するが、輝度を向上させることが出来る。一方、外部環境が高照度の場合は、画質に対して色純度は殆ど影響を与えず、コントラスト、すなわち、画面輝度が支配的なので、人間の眼には、画質はむしろ向上したように感ずる。本発明はこのような効果をバックライトの消費電力を増大させずに実現することが出来る。
【００２２】
本発明では、外部環境における照度をセンサで感知し、外部照度が所定の値よりも大きくなった場合に映像信号を変換し、輝度が大きくなるように、輝度データと色度データを変換することに特徴がある。なお、外部環境の照度は、センサのみでなく、人間が感知して、マニュアルによって映像信号データを変換する指示を与えてもよい。
【００２３】
図３は、液晶表示パネルの外部から供給される映像信号データを色純度を抑え、輝度を向上させるようにするための変換の手順の例を示した表である。図３において、欄Ａ−Ｂ−Ｃ−Ｄ−Ｅの順に変換が行われる。欄Ａは外部から供給される元のデータにおけるＲＧＢ階調情報空間である。すなわち、欄Ａは、８ビットの場合の最大階調２５５におけるＲＧＢの各ベクトルと、任意の画素の階調情報ｐｓである。赤画素（Ｒ）に対応する２５５階調ベクトルはｒｓで、緑画素（Ｇ）に対応する２５５階調ベクトルはｇｓであり、青画素（Ｂ）に対応する２５５階調ベクトルはｂｓである。欄Ａにおける任意の画素の階調情報ｐｓは青っぽい緑色を示している。
【００２４】
図３の欄Ｂは、ＲＧＢ輝度情報空間欄Ａの階調情報に対して、γ特性を加え、最大階調２５５を１として規格化したものである。欄Ｂにおいて、赤画素（Ｒ）に対応するベクトルはＲｓであり、緑画素（Ｇ）に対応するベクトルはＧｓであり、青画素（Ｂ）に対応するベクトルはＢｓである。任意の画素の輝度情報空間におけるベクトルはＰｓである。
【００２５】
図３の欄Ｃは、欄Ｂで得られた輝度情報空間におけるデータをＸＹＺ空間に変換した後のベクトルを現す。図３において、太い矢印で表したＸ、Ｙ、Ｚは、換算式に用いられる座標であり、このうち、Ｙは輝度を表す座標である。実線で示す細い矢印ｘ、ｙ、ｚは、ｓＲＧＢ（色再現性７０％）の単位ベクトルであり、点線で示す細い矢印ｘ、ｙ、ｚは、ｓＲＧＢ（色再現性５０％）の単位ベクトルである。欄Ｃにおける実線で示す矢印ＰはＸＹＺ空間における任意の画素ＰｓのｓＲＧＢ（色再現性７０％）におけるベクトルであり、点線で示す矢印Ｐ‘は、ＸＹＺ空間における任意の画素ＰｓのｓＲＧＢ（色再現性５０％）におけるベクトルである。
【００２６】
ＸＹＺ空間において、輝度と色度の変換を行うが、Ｙ軸に沿った成分が輝度の大きさを示す指標となる。すなわち、どの程度輝度を上げたいかを決め、これをＸＹＺ空間におけるＹ成分に反映させる。このＹ成分に対応して、Ｘ成分およびＺ成分が決められる。欄Ｃにおいて、任意の画素のベクトルであるＰとＰ‘を比較すると、Ｙ軸に沿った成分は、ｓＲＧＢ（色再現性５０％）の場合のほうが、ｓＲＧＢ（色再現性７０％）の場合よりも大きくなっている。すなわち、輝度が向上している。
【００２７】
欄Ｄは、欄ＣにおけるＸＹＺ空間において変換した単位ベクトルおよび任意の画素のベクトルを再び、ＲＧＢ輝度情報空間に変換した場合のベクトルを示す。欄Ｄにおいては、ｓＲＧＢ（色再現性５０％）にした場合の輝度データが反映されている。欄Ｅは、欄Ｄで得られた輝度データをＤＡ変換したものを液晶表示パネル（ＬＣＤ）に入力することを示している。この場合、γ特性は、液晶表示パネルに搭載したＩＣドライバに内蔵されているものとしている。
【００２８】
このように、本発明の特徴は、外部から供給された映像信号における輝度データと色度データを液晶表示パネルに搭載されたＩＣドライバ内において、色再現性を抑え、輝度を任意の量向上させるように変換することに特徴がある。
【実施例１】
【００２９】
図４は実際の製品に本発明を適用した場合を示す色度図である。図４において、実線の三角形はｓＲＧＢ（色再現性７０％）を示すものであり、点線の三角形はｓＲＧＢ（色再現性５０％）を示すものである。すなわち、通常環境下においては、実線の三角形の範囲を使用し、高照度環境下においては、点線の三角形の範囲を使用する。点線の三角形は、図２で示したものと形が若干異なるが、これは、色再現性の範囲と輝度との設定によって異なる。すなわちｓＲＧＢ（色再現性５０％）における色表現の範囲をどうするかによって、三角形の形が異なってくる。
【００３０】
図５は、通常環境下、すなわち、ｓＲＧＢ（色再現性７０％）におけるＲ、Ｇ、Ｂを表す階調と、高照度下、すなわち、ｓＲＧＢ（色再現性５０％）における赤、緑、青を表す８ビットにおける階調を示す。通常環境下においては、赤、青、緑は、おのおの、赤画素（Ｒ）、緑画素（Ｇ）、青画素（Ｂ）における各々最大階調２５５で表示される。
【００３１】
一方、高照度下においては、赤、青、緑は、赤画素（Ｒ）、緑画素（Ｇ）、青画素（Ｂ）のみでなく、他の色も混入させて表示している。他の色を混入させた分、輝度は向上するが、色純度が劣化する。図５において、ｓＲＧＢ（色再現性５０％）のときに、赤表示における最大輝度は、赤画素（Ｒ）を２４９階調で、緑画素（Ｇ）を９９階調で表示する。緑表示の最大輝度は、緑画素（Ｇ）を階調２５５で、赤画素（Ｒ）を階調３８で、青画素（Ｂ）を階調８２で表示する。青表示の最大輝度は、青画素（Ｂ）を２５５階調、緑画素（Ｇ）を８２階調で表示する。ここで、各色の最大輝度は、ｓＲＧＢ（色再現性５０％）の時の２５５階調に相当する。
【００３２】
このように、ｓＲＧＢ（色再現性５０％）において、赤、緑、青の最大輝度の場合、赤であれば、緑を所定量混入させ、緑であれば赤と青を所定量混入させ、青であれば緑を所定量混入させることによって輝度を向上させている。
【００３３】
図６は、赤表示の場合の、ｓＲＧＢ（色再現性７０％）の場合とｓＲＧＢ（色再現性５０％）の場合における階調ごとの輝度の比較を示す。図６の横軸は階調で縦軸は輝度である。図６において、点線がｓＲＧＢ（色再現性７０％）の場合で、実線がｓＲＧＢ（色再現性５０％）の場合である。階調が最大輝度である２５５で比較すると、ｓＲＧＢ（色再現性５０％）の場合は、ｓＲＧＢ（色再現性７０％）の場合に比較して輝度は７％向上している。ここで、ｓＲＧＢ（色再現性５０％）は、図５において、赤画素（Ｒ）を２４９階調で、緑画素（Ｇ）を９９階調で表示した場合である。
【００３４】
図７は、緑表示の場合の、ｓＲＧＢ（色再現性７０％）の場合とｓＲＧＢ（色再現性５０％）の場合における階調ごとの輝度の比較を示す。図７の横軸は階調で縦軸は輝度である。図７において、点線がｓＲＧＢ（色再現性７０％）の場合で、実線がｓＲＧＢ（色再現性５０％）の場合である。階調が最大輝度である２５５で比較すると、ｓＲＧＢ（色再現性５０％）の場合は、ｓＲＧＢ（色再現性７０％）の場合に比較して輝度は４％向上している。ここで、ｓＲＧＢ（色再現性５０％）は、図５において、緑画素（Ｇ）を階調２５５で、赤画素（Ｒ）を階調３８で、青画素（Ｂ）を階調８２で表示した場合である。
【００３５】
図８は、青表示の場合の、ｓＲＧＢ（色再現性７０％）の場合とｓＲＧＢ（色再現性５０％）の場合における階調ごとの輝度の比較を示す。図８の横軸は階調で縦軸は輝度である。図８において、点線がｓＲＧＢ（色再現性７０％）の場合で、実線がｓＲＧＢ（色再現性５０％）の場合である。階調が最大輝度である２５５で比較すると、ｓＲＧＢ（色再現性５０％）の場合は、ｓＲＧＢ（色再現性７０％）の場合に比較して輝度は８２％向上している。ここで、ｓＲＧＢ（色再現性５０％）は、図５において、青画素（Ｂ）を２５５階調、緑画素（Ｇ）を８２階調で表示した場合である。
【００３６】
図９は、図６、７、８における輝度向上の結果をまとめた表である。図９に示したように、ｓＲＧＢ（色再現性５０％）とした場合でも、色によって輝度向上率が大きく異なっている。これは、人間の眼の明るさを感ずる感度（等色関数）が色によって異なるためである。すなわち、人間の眼の等色関数は、緑の波長に対して最も感度が高いので、青表示の場合のように、緑を８２階調混入したことによって、輝度が大幅に向上したということである。一方、緑表示では、緑画素（Ｇ）に加え、赤画素（Ｒ）を階調３８で、青画素（Ｂ）を階調８２で光らせていても、輝度向上率は４％である。このように、緑表示においては、輝度の向上率は小さいが、所定の色再現性、すなわち、ｓＲＧＢ（色再現性５０％）を維持するためには、緑表示の場合も赤および緑を所定の量混入することが必要である。
【００３７】
以上説明したような、映像信号を変換して、色純度を抑え、輝度を向上させる手段は、図１に示すＩＣドライバに組み込むことが出来る。これによって、外光の照度が高い環境において使用される表示装置においても、バックライトの輝度を上げることなく、輝度を向上させ、必要な画質を確保することが出来る。
【符号の説明】
【００３８】
１０…表示領域、  ２０…シール材、  ３０…走査信号線、  ３１…走査信号線引出し線、  ４０…映像信号線、  ４１…映像信号線引き出し線、  ５０…ＩＣドライバ、５１…走査信号線駆動回路、５２…映像信号線駆動回路、  １００…ＴＦＴ基板、  １５０…端子部、  ２００…対向基板
【図１】
2014048323.tif 000003
【図２】
2014048323.tif 000004
【図３】
2014048323.tif 000005
【図４】
2014048323.tif 000006
【図５】
2014048323.tif 000007
【図６】
2014048323.tif 000008
【図７】
2014048323.tif 000009
【図８】
2014048323.tif 000010
【図９】
2014048323.tif 000011